(57)【要約】【課題】受信感度を向上させることが可能なイヤホン等を提供する。【解決手段】プラグ３２の内部には、ケーブル３１の長さ方向に沿って延びる螺旋状のヘリカルアンテナ５１が配設されている。そして、このヘリカルアンテナ５１は、ケーブル３１に巻き付けられた状態で一体となるように熱収縮チューブ５２にて固定されている。そして、ヘリカルアンテナ５１は、ケーブル３１に近接して配置されており、プラグ３２を介して、携帯電話機が備えるチューナに電波を供給する。【選択図】図２
2008035427.tif 000002
【特許請求の範囲】
【請求項１】
複数の信号線を備えるケーブルと、
前記ケーブルに設けられ、前記複数の信号線を電気的に外部装置に接続させるためのプラグと、
前記ケーブルが備える前記複数の信号線に近接して配置され、前記プラグによって外部装置に電気的に接続されるアンテナ線と、
を含むイヤホン。
【請求項２】
前記アンテナ線は、前記ケーブルの長さ方向に延びるように当該ケーブルの外周面に配置されていることを特徴とする請求項１に記載のイヤホン。
【請求項３】
前記アンテナ線は、前記ケーブルの長さ方向に沿って当該ケーブルの外周面に螺旋状に巻き付けられていることを特徴とする請求項１に記載のイヤホン。
【請求項４】
前記アンテナ線を前記ケーブルに固定する固定部材と、
前記固定部材を被覆する被覆部と、
を更に含むことを特徴とする請求項１に記載のイヤホン。
【請求項５】
複数の信号伝達路を備えるケーブルと、
前記ケーブルが備える前記複数の信号伝達路の各々に対応する端子を有し、当該端子を通じて当該複数の信号伝達路の各々を装置に接続させるためのプラグと、
前記ケーブルが備える前記複数の信号伝達路に入力された電波の周波数成分のうち所定の周波数に共振するアンテナ部と、
を含み、
前記アンテナ部が、共振した所定の周波数の電波を取り入れ、当該取り入れた電波が前記プラグを介して装置に供給されることを特徴とするアンテナ付きイヤホン。
【請求項６】
前記プラグに取り付けられ、当該プラグの外で受信した電波を当該プラグを介して装置に送る外部アンテナ部を更に含むことを特徴とする請求項５に記載のアンテナ付きイヤホン。
【請求項７】
前記プラグの外で電波を受信するように当該プラグに取り付けられ、前記アンテナ部と共にダイバシティアンテナを構成する外部アンテナ部を更に含むことを特徴とする請求項５に記載のアンテナ付きイヤホン。
【請求項８】
前記外部アンテナ部は、前記プラグに対する姿勢を変更可能に当該プラグに取り付けられていることを特徴とする請求項６又は７に記載のアンテナ付きイヤホン。
【請求項９】
前記外部アンテナ部が可動するように当該外部アンテナ部の一端部が前記プラグに取り付けられていることを特徴とする請求項６又は７に記載のアンテナ付きイヤホン。
【請求項１０】
受信機器又は送信機器に接続される接続部と、
前記接続部を介して受信機器又は送信機器と電気的に接続する複数の信号線を備えるケーブルと、
前記ケーブルが備える前記複数の信号線に近接して配置され、前記接続部を介して受信機器又は送信機器と電気的に接続されるアンテナ素子と、
を含むアンテナ。
【請求項１１】
前記接続部の外に位置するように当該接続部に取り付けられ、当該接続部を介して受信機器又は送信機器と電気的に接続される補助アンテナ素子を更に含むことを特徴とする請求項１０に記載のアンテナ。
【請求項１２】
チューナを有する装置本体と、
前記装置本体が備える装置本体側アンテナと、
前記装置本体に接続されるプラグ及び当該プラグから延びるケーブルを有するイヤホンと、
前記イヤホンの前記ケーブルに入力された電波の周波数成分のうち前記装置本体のチューナに供給すべき電波の周波数帯に共振するイヤホン側アンテナと、
を含む受信装置。
【請求項１３】
前記イヤホン側アンテナは、前記装置本体側アンテナと共にダイバシティアンテナを構成するものであることを特徴とする請求項１２に記載の受信装置。
【発明の詳細な説明】
【技術分野】
【０００１】
本発明は、電気信号を音に変換する電気−音響変換器としてのイヤホン等に関するものである。
【背景技術】
【０００２】
携帯型の受信情報機器、例えば携帯電話機は、通話機能のみならず、技術の発達と共にメールやインターネット等の通信機能が付加されている。そして、その便利さや手軽さ等のため、携帯電話機は世界的に急速に普及している。
【０００３】
そのような携帯電話機の普及に伴い、通話機能や通信機能以外の様々な機能を有する携帯電話機が提案されている（例えば、特許文献１参照）。すなわち、特許文献１では、音楽再生機能を有する携帯電話機が開示されている。このため、携帯電話機及び携帯電話機に接続されるイヤホン（ヘッドホン）に対して高音質化という要求があり、各種の技術を用いてその要求に対応している。このように、携帯電話機に音楽再生機能をもたせることにより、専用の音楽再生機を用いて所望の音楽を聴いていた従来のスタイルから、携帯電話機だけを持ち歩いて携帯電話機で音楽再生するというスタイルに変わりつつある。
【０００４】
また、特許文献１では、ラジオやテレビ等の受信機能を有する携帯電話機も開示されている。ここで、携帯電話機に専用のアンテナを内蔵すると携帯電話機の小型化や軽量化の妨げになることから、チューナを携帯電話機に内蔵すると共に、携帯電話機に接続されるヘッドホンのケーブル（コード）にアンテナ機能をもたせた構成が開示されている（例えば、特許文献２参照）。すなわち、特許文献２には、ヘッドホンのケーブルをコネクタを介してチューナに接続し、これにより、ヘッドホンのケーブルを外部アンテナとして用いていると共に、ヘッドホンのコネクタが携帯電話機に接続されると、音声信号の出力先がスピーカからヘッドホンへと切り替わる構成が開示されている。
【０００５】
【特許文献１】特開２００２−１０１１６４号公報
【特許文献２】実開平３−２７０８号公報
【発明の開示】
【発明が解決しようとする課題】
【０００６】
しかしながら、ヘッドホンないしはイヤホンのケーブルを外部アンテナとする場合には、従来の構造では受信感度の面で問題がある。すなわち、受信感度の向上を効果的に図ることが困難である。当然ながら、ヘッドホン等について種々の改良が行われているものの、性能的に十分ではなかったりコストが多くかかり過ぎてしまったりして、課題の解決には至っていない。また、ヘッドホン等が接続される携帯電話機についても、受信感度を向上させる改良が行われているが、高機能化等に伴い、受信感度を向上させる手段を携帯電話機側に内蔵するのは困難になりつつある。
【０００７】
本発明は、以上のような技術的課題を解決するためになされたものであり、その目的とするところは、受信感度を向上させることが可能なイヤホン等を提供することにある。
【課題を解決するための手段】
【０００８】
かかる目的のもと、本発明が適用されるイヤホンは、複数の信号線を備えるケーブルと、ケーブルに設けられ、複数の信号線を電気的に外部装置に接続させるためのプラグと、ケーブルが備える複数の信号線に近接して配置され、プラグによって外部装置に電気的に接続されるアンテナ線と、を含むものである。
【０００９】
このアンテナ線は、ケーブルの長さ方向に延びるようにケーブルの外周面に配置されていることを特徴とすることができる。また、アンテナ線は、ケーブルの長さ方向に沿ってケーブルの外周面に螺旋状に巻き付けられていることを特徴とすることができる。また、アンテナ線をケーブルに固定する固定部材と、固定部材を被覆する被覆部と、を更に含むことを特徴とすることができる。
【００１０】
他の観点から捉えると、本発明が適用されるアンテナ付きイヤホンは、複数の信号伝達路を備えるケーブルと、ケーブルが備える複数の信号伝達路の各々に対応する端子を有し、端子を通じて複数の信号伝達路の各々を装置に接続させるためのプラグと、ケーブルが備える複数の信号伝達路に入力された電波の周波数成分のうち所定の周波数に共振するアンテナ部と、を含み、アンテナ部が、共振した所定の周波数の電波を取り入れ、取り入れた電波がプラグを介して装置に供給されることを特徴とするものである。
【００１１】
ここで、プラグに取り付けられ、プラグの外で受信した電波をプラグを介して装置に送る外部アンテナ部を更に含むことを特徴とすることができる。また、プラグの外で電波を受信するようにプラグに取り付けられ、アンテナ部と共にダイバシティアンテナを構成する外部アンテナ部を更に含むことを特徴とすることができる。
【００１２】
このような場合には、外部アンテナ部は、プラグに対する姿勢を変更可能にプラグに取り付けられていることを特徴とすることができる。また、外部アンテナ部が可動するように外部アンテナ部の一端部がプラグに取り付けられていることを特徴とすることができる。
【００１３】
更に本発明を別の観点から捉えると、本発明が適用されるアンテナは、受信機器又は送信機器に接続される接続部と、接続部を介して受信機器又は送信機器と電気的に接続する複数の信号線を備えるケーブルと、ケーブルが備える複数の信号線に近接して配置され、接続部を介して受信機器又は送信機器と電気的に接続されるアンテナ素子と、を含むものである。
【００１４】
ここで、接続部の外に位置するように接続部に取り付けられ、接続部を介して受信機器又は送信機器と電気的に接続される補助アンテナ素子を更に含むことを特徴とすることができる。
【００１５】
更にまた本発明を別の観点から捉えると、本発明が適用される受信装置は、チューナを有する装置本体と、装置本体が備える装置本体側アンテナと、装置本体に接続されるプラグ及びプラグから延びるケーブルを有するイヤホンと、イヤホンのケーブルに入力された電波の周波数成分のうち装置本体のチューナに供給すべき電波の周波数帯に共振するイヤホン側アンテナと、を含むものである。
【００１６】
ここで、イヤホン側アンテナは、装置本体側アンテナと共にダイバシティアンテナを構成するものであることを特徴とすることができる。
【発明の効果】
【００１７】
本発明によれば、イヤホン等を用いた受信の際の受信感度を向上させることが可能になる。
【発明を実施するための最良の形態】
【００１８】
以下、添付図面を参照して、本発明の実施の形態について詳細に説明する。
〔第１の実施の形態〕
図１は、第１の実施の形態に係るイヤホン２とイヤホン２が用いられる携帯電話機１とを示す概略構成図である。
図１に示す携帯電話機（外部装置、装置、受信装置、装置本体）１は、イヤホン（ヘッドホン）２が接続されるジャック１１を有する。また、携帯電話機１は、ＦＭラジオ放送、ＶＨＦテレビ放送、ＵＨＦテレビ放送及び地上デジタル放送等を受信する受信機能としてのチューナ１２（図３参照）を有する。そして、ユーザが所望の放送を視聴するときには、後述する受信アンテナを備えるイヤホン２を携帯電話機１のジャック１１に接続する。
【００１９】
イヤホン２がジャック１１に接続されると、携帯電話機１の図示しない内蔵スピーカからの音出力が遮断され、ユーザは、イヤホン２を通じて放送の内容を聴くことができる。なお、イヤホン２がジャック１１に接続されると、イヤホン２及び図示しない内蔵スピーカを通じて放送の内容を聴くことができるように構成することも考えられる。
なお、本実施の形態では、受信した放送は、音声出力のみならず映像出力も可能に構成されているが、音声出力のみを可能にする構成の場合にも同様に適用することができる。また、ＦＭラジオ放送のみならず、ＡＭラジオ放送も受信可能に携帯電話機１を構成することも可能である。
【００２０】
また、携帯電話機１は、図示しない内部メモリ又は外部メモリに、例えばＭＰ３形式の所定のデータ形式で予め記録された音楽を再生する音楽再生機能を有する。なお、ここにいう外部メモリとは、携帯電話機１に脱着可能に装着できる記憶媒体をいい、例えばＳＤメモリカード等をいう。
【００２１】
イヤホン２は、携帯電話機１に接続される操作部３と、操作部３に接続される音出力部４と、を備える。操作部３は、携帯電話機１に対するユーザからの指示内容を電気信号で携帯電話機１に出力する。また、音出力部４は、操作部３を介して携帯電話機１からの電気信号に対応する音を出力する。
【００２２】
なお、本実施の形態では、イヤホン２として、操作部３と音出力部４とがコネクタ類によって分離可能に構成されているものを用いているが、そのような分離不可能に構成されているものを用いることもできる。また、ここにいうイヤホン２は、操作部３と音出力部４とを含んで構成されているが、例えば操作部３のみをイヤホン２と考えることもできる。
【００２３】
操作部３は、複数の信号線（芯線）を内蔵するケーブル３１と、ケーブル３１の一端に設けられ、携帯電話機１のジャック１１に接続される１０極のプラグ３２と、ケーブル３１の他端に設けられ、ユーザが携帯電話機１に対して指示を行う際に操作するリモコン３３と、を有する。ケーブル３１に内蔵されている複数の信号線は、電気信号を伝達するためのものであるが、光信号等の他の信号を伝達するように構成している場合にも本実施の形態を適用することができる。
【００２４】
ここで、リモコン３３は、ユーザの声が入力されるマイクロホン３３１と、音量の調整や受信周波数の調整を行ったり、音楽再生の際にユーザが操作したりするための各種のボタン３３２と、が配設されている。また、リモコン３３には、音出力部４を接続するための出力端子３３３がケーブル３１とは逆側に設けられている。なお、リモコン３３における出力端子３３３の位置は、本実施の形態の場合に限られず、ケーブル３１とは逆側以外であってもよい。
【００２５】
音出力部４は、複数の信号線を内蔵し、一端から他端に向かう途中で二股に分かれるケーブル４１と、ケーブル４１の一端に設けられ、操作部３の出力端子３３３に挿入されるプラグ（接続部品）４２と、ケーブル４１の他端に設けられ、ユーザの片耳ずつにセットされる右スピーカ４３ａ及び左スピーカ４３ｂと、を有する。右スピーカ４３ａ及び左スピーカ４３ｂは、プラグ４２及びケーブル４１を介して送られてきた電気信号を音に変換して出力する。
【００２６】
なお、本実施の形態では、携帯電話機１にイヤホン２を接続する場合を説明したが、イヤホン２の代わりに、図示しない電源コードを接続する場合にも同様に適用することができる。この電源コードは、電気配線されているコンセントから携帯電話機１に電気を供給するためのものであり、そのために、電力線、電源線、導線等の電気供給路を内蔵している。
また、携帯電話機１のほかに、図示しない携帯用ラジオ受信機にイヤホン２や図示しない電源コードを接続する場合にも適用することができる。
【００２７】
図２は、ケーブル３１のプラグ３２とその周辺部分を説明するための概略構成図であり、（ａ）は、図１の矢印IIaから見た図であり、（ｂ）は、（ａ）の矢印IIｂから見た図である。
図２に示すように、プラグ３２には、ブッシュ部（被覆部、ケーブル保持部）３４が設けられている。そして、ブッシュ部３４の内部には、ケーブル３１の長さ方向に沿って延びる螺旋状のヘリカルアンテナ（アンテナ線、アンテナ部、アンテナ素子、イヤホン側アンテナ）５１が配設されている。
付言すると、ここにいうブッシュ部３４は、プラグ３２の一部を構成するものではない。すなわち、本実施の形態では、ヘリカルアンテナ５１はブッシュ部３４に配設されており、プラグ３２には配設されていない。更に説明すると、本実施の形態のプラグ３２は、一般的な大きさのものを用いているので、ケーブル３１の複数の信号線に近接して配置されたヘリカルアンテナ５１は、ブッシュ部３４に設けている。したがって、プラグ３２よりも大きな図示しないプラグを用いることにより、ヘリカルアンテナ５１を近接配置できるだけの長さのケーブル３１が位置するのであれば、プラグ３２内に設けることも当然ながら考えられる。
【００２８】
ヘリカルアンテナ５１は、ケーブル３１の外周面に巻き付けられている。更に説明すると、ヘリカルアンテナ５１は、ケーブル３１に巻き付けられた状態で一体となるように熱収縮チューブ（固定部材）５２にて固定されている。本実施の形態では、ヘリカルアンテナ５１を用いているので、ケーブル３１に外力が加わってもヘリカルアンテナ５１が巻き付けられているケーブル３１の部分が破損し難くなり、ケーブル３１の耐久性を向上させることができる。また、熱収縮チューブ５２でヘリカルアンテナ５１を固定するので、製造を容易に行うことができる。なお、螺旋状のヘリカルアンテナ５１の代わりに、ケーブル３１の長さ方向に直線状に延びる図示しないアンテナをケーブル３１の外周面に配置して用いることも考えられる。
【００２９】
また、プラグ３２の内部には、複数の信号線の各々のケーブル３１から突出している一端部が接続される基板３２ａが配設されている。この基板３２ａには、ヘリカルアンテナ５１の一端部が接続されている。
【００３０】
ここで、本実施の形態では、熱収縮チューブ５２でヘリカルアンテナ５１をケーブル３１に固定した状態で基板３２ａに電気的に接続し、その後に成型によりブッシュ部３４を形成する方法により製造しているが、熱収縮チューブ５２を用いない構成も考えられる。すなわち、ヘリカルアンテナ５１をケーブル３１の信号線と共に基板３２ａに配線した後に成型によりブッシュ部３４を形成する方法により製造することも考えられる。
【００３１】
図３は、携帯電話機１及びイヤホン２の回路図である。
図３に示すように、ケーブル３１は、上述した複数の信号線として、グランド線ＧＮＤと、音出力部４（図１参照）の右スピーカ４３ａに信号を伝えるための信号線Ｒと、音出力部４の右スピーカ４３ａに信号を伝えるための信号線Ｌと、リモコン３３に配設されたボタン３３２のためのリモコンデータを伝送するための信号線ＲＣと、を備えている。なお、本実施の形態では、ケーブル３１が４本の信号線（信号伝達路、電気供給路）を備えているが、更に他の信号線を備えるように構成することも可能である。例えば、マイク信号線等である。
【００３２】
また、イヤホン２のヘリカルアンテナ（ＡＮＴ−１）５１は、プラグ３２及びジャック１１を介して携帯電話機１のチューナ１２に接続されている。また、ヘリカルアンテナ５１は、ケーブル３１に内蔵されている複数の信号線Ｌ，Ｒ，ＲＣ及びグランド線ＧＮＤに入ってきた様々な周波数成分の電波のうち所望の受信帯域に共振するように構成されている。このため、ヘリカルアンテナ５１によって共振した所定の周波数帯の電波が携帯電話機１のチューナ１２に取り込まれる。すなわち、ケーブル３１から入ってきた電波が静電結合及び誘導結合のいずれか一方又は両方によりヘリカルアンテナ５１に取り入れられ、チューナ１２に供給される。このようにして、所望の受信帯域の信号がチューナ１２に送られる。
【００３３】
ここで、ケーブル３１が受信した地上デジタル放送の信号が、ヘリカルアンテナ５１により取り出され、携帯電話機１の内部に送られる。また、ケーブル３１が受信したＦＭラジオ放送の信号は、グランド線ＧＮＤにより携帯電話機１の内部に送られる。
更に説明すると、ヘリカルアンテナ５１からの地上デジタル放送の信号は、信号路１３ａ及び信号路１３ｃを介してチューナ１２に送られる。また、グランド線ＧＮＤからのＦＭラジオ放送の信号は、信号路１３ｂ及び信号路１３ｃを介してチューナに送られる。信号路１３ａ，１３ｂ，１３ｃは、接続位置１３ｄで互いに接続されている。
【００３４】
そして、信号路１３ｂには、チップコイル５３が配置されている。このチップコイル５３は、ＦＭラジオ放送の信号及びＶＨＦテレビ放送の信号を通過させ、かつ、信号路１３ａからの地上デジタル放送帯域の信号が信号路１３ｂに進行するのを阻止する特性値をもつコイルである。これにより、ヘリカルアンテナ５１の地上デジタル放送の信号は、信号路１３ａから信号路１３ｃへと進む。
【００３５】
図４は、従来のイヤホンの受信感度と本実施の形態のイヤホン２の受信感度とを比較して示すグラフである。縦軸は、受信した電波をスペクトラムアナライザで測定したスペアナレベル（ｄＢμ）、横軸は周波数（ＭＨｚ）である。
従来のイヤホンは、ヘリカルアンテナ５１（図２参照）を備えておらず、その一方で、本実施の形態のイヤホン２は、ヘリカルアンテナ５１を備えている。
ここで、地上デジタル放送の周波数帯域は、４７０ＭＨｚ〜７１０ＭＨｚ（１３〜５２ＣＨ）であり、中心周波数ｆｃ＝５９０ＭＨｚである。そして、図４に示すように、地上デジタル放送の周波数帯域及びその近傍において、ヘリカルアンテナ５１を備える本実施の形態のイヤホン２の場合は、ヘリカルアンテナ５１を備えていない従来のイヤホンに比べて感度が向上している。また、本実施の形態のイヤホン２を用いることにより、イヤホンアンテナ特有のヌルポイントｎｐが軽減されている。
【００３６】
〔第２の実施の形態〕
次に、第２の実施の形態について説明する。
図５及び図６は、第２の実施の形態に係るイヤホン２のプラグ３２周辺を示す斜視図である。
図５に示すように、本実施の形態に係るイヤホン２は、プラグ３２に外部アンテナ部６が取り付けられている。この外部アンテナ部６は、図６に示すように、プラグ３２に対して姿勢を自在に変えることができる。
【００３７】
図７は、イヤホン２のプラグ３２周辺の分解斜視図である。
図７に示すように、プラグ３２は、インナー部３２ｂと、インナー部３２ｂの外装体としてのハウジング３２ｃと、を備えている。インナー部３２ｂには、ケーブル３１が連結されている。そして、ケーブル３１には、第１の実施の形態と同じく、ケーブル３１の外周を螺旋状に巻き付けられる第１のアンテナ（メインアンテナ）としてのヘリカルアンテナ（装置本体側アンテナ）５１と、ヘリカルアンテナ５１をケーブル３１に固定するための熱収縮チューブ５２と、が取り付けられている。
【００３８】
外部アンテナ部６は、第２のアンテナ（サブアンテナ、可動アンテナ）としてのヘリカルアンテナ（補助アンテナ素子）６１と、ヘリカルアンテナ６１を収容するための収容空間を有するケース部材６２と、を備えている。また、外部アンテナ部６は、ケース部材６２に取り付け可能に構成され、ケース部材６２の収容空間を外部と仕切るためのカバー部材６３と、ケース部材６２に取り付け可能に構成され、ケース部材６２の収容空間に収容されているヘリカルアンテナ６１の一端部に当接して保持する金属製の保持部材６４と、を備えている。ケース部材６２の内面には、溝部６２ａが形成され、そして、保持部材６４は、この溝部６２ａに挿入されて取り付けられる。また、保持部材６４は、保持部材６４がケース部材６２に取り付けられるとヘリカルアンテナ６１とは反対側に突出する金属製の突出片６４ａを有する。
【００３９】
外部アンテナ部６は、一端部の円周面に溝部６５ａが形成され、他端部がプラグ３２のインナー部３２ｂに固定される金属製のマウント部材６５と、マウント部材６５の溝部６５ａに挿入可能なストッパ部６６ａが形成され、ストッパ部６６ａが溝部６５ａに係合することによりインナー部３２ｂに取り付けられる金属製のキャップ部材６６と、を備えている。
【００４０】
また、外部アンテナ部６は、貫通穴６７ａが形成され、キャップ部材６６を覆う樹脂製のジョイント部材６７と、ジョイント部材６７の貫通穴６７ａに挿入されるピン部材６８と、を備えている。
【００４１】
ここで、ジョイント部材６７には、保持部材６４の突出片６４ａがキャップ部材６６に当接可能にするための切欠き部６７ｂが形成されている。したがって、これらの部材により組み立てられた外部アンテナ部６において、ヘリカルアンテナ６１が受信した信号は、保持部材６４の突出片６４ａからキャップ部材６６及びマウント部材６５を介してインナー部３２ｂの基板３２ａ（図２又は図３参照）に導かれる。
【００４２】
また、組み立てられた外部アンテナ部６において、ケース部材６２は、ピン部材６８の軸を中心にする回転（図６の矢印Ａ方向への移動）が可能であり、かつ、マウント部材６５の軸を中心とする旋回（図６の矢印Ｂ方向への移動）が可能である。このように、外部アンテナ部６のヘリカルアンテナ６１は、プラグ３２に対する姿勢を様々に変更することが可能である。更に説明すると、プラグ３２の外に位置するヘリカルアンテナ６１は、プラグ３２に内蔵されているヘリカルアンテナ５１に対して異なる姿勢をとることができる。したがって、受信の死角に入った場合には、ユーザは、外部アンテナ部６をプラグ３２に対して移動させて、調整することができる。
【００４３】
また、外部アンテナ部６は、使用しないときには図５に示す収納状態にし、使用するときには図６に示す展開状態にすることができる。このため、デザイン的にもすっきりした形になり、また、使用しないときの外部アンテナ部６の保護が容易になる。
【００４４】
図８は、第２の実施の形態における携帯電話機１及びイヤホン２の回路図である。図８に示す回路図は、図３に示す回路図と基本的な構成が同じであるので、相違する点を主に説明する。
図８に示すように、イヤホンのヘリカルアンテナ（ＡＮＴ−１）５１及びプラグ３２のヘリカルアンテナ（ＡＮＴ−２）６１は、携帯電話１に設けられている制御部７に個別に接続されている。この制御部７は、後述するように、ダイバシティ機能を担っている。
【００４５】
図９は、ヘリカルアンテナ５１，６１からの信号を制御する制御部７を説明するためのブロック図である。
図９に示すように、制御部７は、ヘリカルアンテナ５１からの信号が入力されてインピーダンスマッチングを行う整合回路７１と、ヘリカルアンテナ６１からの信号が入力されてインピーダンスマッチングを行う整合回路７２と、整合回路７１，７２からの信号が入力されると共にチューナ１２へ信号が出力される選択スイッチ７３と、を備えている。
【００４６】
選択スイッチ７３は、入力端７３ａ，７３ｂ及び出力端７３ｃを有する。すなわち、ヘリカルアンテナ５１は、整合回路７１を介して選択スイッチ７３の入力端７３ａに接続されている。また、ヘリカルアンテナ６１は、整合回路７２を介して選択スイッチ７３の入力端７３ｂに接続されている。また、チューナ１２は、選択スイッチ７３の出力端７３ｃに接続されている。
【００４７】
選択スイッチ７３は、チューナ１２からの切換制御信号Ｓ２に基づいて入力端７３ａ，７３ｂのうちいずれか一方を出力端７３ｃに接続する。そして、選択スイッチ７３は、ヘリカルアンテナ５１で受信した受信信号とヘリカルアンテナ６１で受信した受信信号のうち信号レベルの高い方の受信信号を受信信号Ｓ１としてチューナ１２に出力する。このように、本実施の形態では、２アンテナによる空間ダイバシティ方式を採用し、感度の良い方のアンテナから受信するように構成している。ここで、図９は、ダイバシティ方式を実現するための構成の一例を示したものであり、これ以外にも、周知慣用の構成を採用してダイバシティ方式を実現することも考えられる。
【００４８】
なお、本実施の形態では、ダイバシティ方式を採用した携帯電話機１を用いた例を示しているが、本実施の形態に係るイヤホン２を、ダイバシティ方式のない機種にも適用することができる。その場合には、メインアンテナとしてヘリカルアンテナ５１を用いると共に、ヘリカルアンテナ５１の不安定性をこのヘリカルアンテナ６１で補う形で使用することが考えられる。すなわち、ヘリカルアンテナ６１にて指向性を可変にするものである。
【００４９】
〔第３の実施の形態〕
次に、第３の実施の形態について説明する。
図１０は、第３の実施の形態における携帯電話機１及びイヤホン２の回路図である。なお、図１０に示す回路図は、図３に示す回路図と基本的な構成が同じであるので、相違する点を主に説明する。
図１０に示すように、携帯電話機１は、無指向性のロッドアンテナ（ホイップアンテナ、ＡＮＴ−３）８１を備えている。そして、このロッドアンテナ８１は、携帯電話機１の制御部７に接続されている。すなわち、イヤホン２のヘリカルアンテナ５１及び携帯電話機１のロッドアンテナ８１は、携帯電話１に設けられている制御部７に個別に接続されている。なお、携帯電話機１がロッドアンテナ８１ではなく、図示しない内蔵アンテナを備えている場合にも、同様に適用することができる。
【００５０】
なお、上述した第１の実施の形態、第２の実施の形態及び第３の実施の形態は、携帯電話機１についてのものであるが、他の携帯型機器にも用いることができる。また、これらの実施の形態は、いずれも受信に用いる場合を示しているが、本発明を送信（発信）にも用いることも考えられる。ここで、例えば、第２の実施の形態の場合には、９０度の位相差をつけてヘリカルアンテナ５１，６１に給電することにより、円偏波で送信される。すなわち、指向性が良好な電波が送信される。送信に用いる場合には、ダイバシティ方式を採用する必要はない。
また、上述した第１の実施の形態、第２の実施の形態及び第３の実施の形態は、イヤホンに本発明を適用した場合についてのものであるが、アンテナとしても適用することが考えられる。
【図面の簡単な説明】
【００５１】
【図１】第１の実施の形態に係るイヤホンとイヤホンが用いられる携帯電話機とを示す概略構成図である。
【図２】ケーブルのプラグとその周辺部分を説明するための概略構成図である。
【図３】携帯電話機及びイヤホンの回路図である。
【図４】従来のイヤホンの受信感度と本実施の形態のイヤホンの受信感度とを比較したグラフである。
【図５】第２の実施の形態に係るイヤホンのプラグ周辺を示す斜視図である。
【図６】第２の実施の形態に係るイヤホンのプラグ周辺を示す斜視図である。
【図７】イヤホンのプラグ周辺の分解斜視図である。
【図８】第２の実施の形態における携帯電話機及びイヤホンの回路図である。
【図９】ヘリカルアンテナからの信号を制御する制御部を説明するためのブロック図である。
【図１０】第３の実施の形態における携帯電話機及びイヤホンの回路図である。
【符号の説明】
【００５２】
１…携帯電話機、１２…チューナ、２…イヤホン、３１…ケーブル、３２…プラグ、３４…ブッシュ部、５１，６１…ヘリカルアンテナ、５２…熱収縮チューブ、６…外部アンテナ部、８１…ロッドアンテナ
【図１】
2008035427.tif 000003
【図２】
2008035427.tif 000004
【図３】
2008035427.tif 000005
【図４】
2008035427.tif 000006
【図５】
2008035427.tif 000007
【図６】
2008035427.tif 000008
【図７】
2008035427.tif 000009
【図８】
2008035427.tif 000010
【図９】
2008035427.tif 000011
【図１０】
2008035427.tif 000012